(57)【要約】      （修正有）【課題】ハンガーラック自体の機能性のみならず，ハンガーラック自体の美観，ないし部屋に配置した時の調和という観点に着目した，ハンガーラックの提供【解決手段】ハンガーラックを複数の部材から構成させるとともに，これら構成部材の形状に特徴を与えることにより，非使用時にはハンガーラックとしての外観を有さず，あたかもオブジェとして飾ることも可能な一体型ハンガーラック。一体型ハンガーラックは，第一支持部材１と，第二支持部材２と，棒状部材３からなり，第一支持部材は１，第二支持部材２を収納する空洞状の第一支持部材空洞部と，棒状部材３を支持するための第一支持部材支持部と，直立するための第一支持部材脚部を有し，第二支持部材２は，棒状部材３を収納する空洞状の第二支持部材空洞部と，棒状部材３を支持するための第二支持部材支持部と，直立するための第二支持部材脚部を有することにより，一体型となる。【選択図】図１
2014204947.tif 000002
【特許請求の範囲】
【請求項１】
第一支持部材と，第二支持部材と，棒状部材からなるハンガーラックであって，
第一支持部材は，第二支持部材ないし棒状部材を収納可能な第一支持部材空洞部と，棒状部材を支持するための第一支持部材支持部と，直立するための第一支持部材脚部を有し，
第二支持部材は，第一支持部材ないし棒状部材を収納可能な第二支持部材空洞部と，棒状部材を支持するための第二支持部材支持部と，直立するための第二支持部材脚部を有し，
第一支持部材と第二支持部材が，それぞれを収納ないし勘合等し，さらにいずれか又は両方の空洞部に棒状部材を収納することにより，第一支持部材，第二支持部材，棒状部材が一体となることを特徴とする一体型ハンガーラック
【請求項２】
第一支持部材支持部ないし第二支持部材支持部が，棒状部材が通る棒状穴部からなることを特徴とする請求項１に記載の一体型ハンガーラック
【請求項３】
棒状部材が，伸縮性棒状部材からなることを特徴とする請求項１ないし２に記載の一体型ハンガーラック
【請求項４】
第一支持部材空洞部が第二支持部材を収納し，第二支持部材空洞部が棒状部材を収納することを特徴とする請求項１ないし３に記載の一体型ハンガーラック
【請求項５】
第一支持部材ないし第二支持部材が，複数の平面状部材から構成されることを特徴とする請求項１ないし３に記載の一体型ハンガーラック
【請求項６】
請求項１ないし５に記載の一体型ハンガーラックに用いられることを特徴とする第一支持部材と第二支持部材の組み合わせ部材
【発明の詳細な説明】
【技術分野】
【０００１】
本発明は，一体型ハンガーラックに関する。
【背景技術】
【０００２】
ハンガーラックは，衣服等をかけたり，洗濯物を干すなどの用途で用いられる。このハンガーラックの利便性を向上させるために，様々な技術が開示されている。
例えば，特許文献１ないし４に開示されているハンガーラックでは，折り畳み式のハンガーラックに関する技術が開示されている。
【先行技術文献】
【特許文献】
【０００３】
【特許文献１】特開平０７−２４６１４０
【特許文献２】特開平１１−０７６０３６
【特許文献３】特開２０１０−２５９７１１
【特許文献４】実用新案登録第３０１２００５号
【発明の開示】
【発明が解決しようとする課題】
【０００４】
先に挙げた先行技術は全て，ハンガーラックを折り畳むことにより，取り扱いや収納性など，ハンガーラックの機能性向上にのみ着目した技術であり，実用品の域を出るものではない。ここに挙げた先行技術および現在市販されているハンガーラックを含め，ハンガーラック開発の技術の潮流というのは，機能性向上にのみ着目している技術がほとんどである。そのため，ハンガーラック自体の美観，ないし部屋に配置した時の調和など，ハンガーラックの外観に着目したハンガーラックは皆無である。
【０００５】
上記事情を背景として，本発明では，ハンガーラック自体の機能性のみならず，ハンガーラックの外観にも着目した，ハンガーラックの開発を課題とする。
【課題を解決するための手段】
【０００６】
発明者は，鋭意研究の結果，ハンガーラックを複数の部材から構成させるとともに，これら構成部材の形状に特徴を与えることにより，非使用時にはハンガーラックとしての外観を有さず，あたかもオブジェとして飾ることも可能な一体型ハンガーラックを開発した。
【０００７】
また，発明者は，前記一体型ハンガーラックを作製するにあたり，新たなる課題を発見した。
すなわち，発明者は，円柱様の部材を用いて一体型ハンガーラックを作製しようとしたところ，製造に高度な技術を必要とするため，製造コストが比較的高価なものになってしまうことを発見した。このことから，一体型ハンガーラックの製造にあたり，複数の平面状部材を用い，これらを組み合わせることにより，比較的簡単に一体型ハンガーラックの製造を行うことが可能であること，および，この結果，製造コストを抑えられることを見出し，改良型の一体型ハンガーラックを開発した。
【０００８】
本発明は，以下の構成からなる。
本発明の第一の構成は，第一支持部材と，第二支持部材と，棒状部材からなるハンガーラックであって，第一支持部材は，第二支持部材ないし棒状部材を収納可能な第一支持部材空洞部と，棒状部材を支持するための第一支持部材支持部と，直立するための第一支持部材脚部を有し，第二支持部材は，第一支持部材ないし棒状部材を収納可能な第二支持部材空洞部と，棒状部材を支持するための第二支持部材支持部と，直立するための第二支持部材脚部を有し，第一支持部材と第二支持部材が，それぞれを収納ないし勘合等し，さらにいずれか又は両方の空洞部に棒状部材を収納することにより，第一支持部材，第二支持部材，棒状部材が一体となることを特徴とする一体型ハンガーラックである。
【０００９】
本発明の第二の構成は，第一支持部材支持部ないし第二支持部材支持部が，棒状部材が通る棒状穴部からなることを特徴とする第一の構成に記載の一体型ハンガーラックである。
本発明の第三の構成は，棒状部材が，伸縮性棒状部材からなることを特徴とする第一ないし第二の構成に記載の一体型ハンガーラックである。
【００１０】
本発明の第四の構成は，第一支持部材空洞部が第二支持部材を収納し，第二支持部材空洞部が棒状部材を収納することを特徴とする第一ないし第三の構成に記載の一体型ハンガーラックである。
本発明の第五の構成は，第一支持部材ないし第二支持部材が，複数の平面状部材から構成されることを特徴とする第一ないし第三の構成に記載の一体型ハンガーラックである。
本発明の第六の構成は，第一ないし第五の構成に記載の一体型ハンガーラックに用いられることを特徴とする第一支持部材と第二支持部材の組み合わせ部材である。
【発明の効果】
【００１１】
本発明により，ハンガーラック自体の機能性のみならず，ハンガーラックの外観にも着目した，ハンガーラックの提供が可能となった。
すなわち，本発明のハンガーラックは，使用時にはハンガーラックとしての形態に，非使用時には一体型のオブジェ様の形態とすることにより，機能性に加え，美観性にも優れたハンガーラックを提供するものである。
加えて，一体型ハンガーラックを平面状部材により構成することは，製造を容易にし，かつ，製造コストを抑えることが可能となるものであり，ひいては，一体型ハンガーラックの，より容易な提供が可能となるものである。
【図面の簡単な説明】
【００１２】
【図１】一体型ハンガーラックの例を示した図
【図２】一体型ハンガーラックを組み立てる様子を示した図
【図３】第一支持部材の例を示した図
【図４】第二支持部材の例を示した図
【図５】棒状部材の例を示した図
【図６】第一支持部材の例を示した図
【図７】第一支持部材の例を示した図
【図８】伸縮棒状部材の例を示した図
【図９】一体型ハンガーラックの別の例を示した図
【発明を実施するための形態】
【００１３】
以下，図面を例にとり，本発明のハンガーラックの詳細な説明を行うが，本発明を下記の記載に基づき限定的に解釈すべきものでないことは言うまでもない。
【００１４】
＜Ｉ．一体型ハンガーラックの概要＞
１．本発明の一体型ハンガーラックは，第一支持部材，第二支持部材，棒状部材，これら３つの部材を必須の構成とする。本発明の一体型ハンガーラックは，これら必須の構成を備えることにより一体となり，かつ，ハンガーラックとしての機能を果たしうる限り，特に限定する必要は無く，他の構成を加えても構わない。
２．一体型ハンガーラックを構成する必須部材については，一定の剛性を有する素材であることが必要であり，例えば，ステンレスや鉄，木，プラスチックなどが挙げられる。
３．一体となったハンガーラックは，収納性に優れるとともに，部屋の置物としても使用することができる。加えて，第一支持部材ないし第二支持部材の脚部に，傘をかけるなどして傘立てとして利用したり，スーツやコートをかけるなどしてハンガーとして利用することもできる。また，第一支持部材ないし第二支持部材に，絵柄などを施すことが好ましい。これにより，一体型ハンガーラックの美飾性を高めることができる効果を有する。
４．図１に本発明の一体型ハンガーラックの例を示す。図面に例示するように，棒状部材３は第二支持部材２の第二支持部材空洞部２１に収納され，さらに第二支持部材２は，第一支持部材空洞部１１に収納されている。これらの構成部材を別々にして，組み合わせることにより，図２のeに示すようなハンガーラックとすることができる。
５．本発明のハンガーラックをハンガーラックとして組み合わせる手順について，図２を例にとり説明を行う。
(1)  一体となったハンガーラック（a）について，まず，第一支持部材を抜き出す（b）。
(2)  第二支持部材から，棒状部材を抜き出す（c）。
(3)  棒状部材を，第一支持部材，第二支持部材のそれぞれの支持部に入れ込むことにより（d），ハンガーラックとすることができる（e）。
６．ハンガーラックのもう一つの例を図９に示す。図９に示すハンガーラックは，第一支持部材１’と第二支持部材２’が４つの平面状部材で構成されている例である。このように複数の平面状部材で第一支持部材ないし第二支持部材を構成することにより，比較的簡単に一体型ハンガーラックの製造を行うことが可能となり，結果として，一体型ハンガーラックの製造コストを抑えることができる効果を有する。
【００１５】
＜ＩＩ．第一支持部材＞
１．第一支持部材は，第二支持部材を収納ないし勘合等により第二支持部材と一体となるとともに，直立した状態で棒状部材を支持する役割を果たす。さらに第二支持部材と共に，もしくは第二支持部材が棒状部材を収納しないときは第一支持部材単独で，棒状部材を収納する役割を果たす。第一支持部材は，これらの役割を果たす限り特に限定する必要は無く，種々の形状ないし構成とすることができる。
２．第一支持部材は，これらの役割を果たすため，第一支持部材は，第一支持部材空洞部，第一支持部材支持部，第一支持部材脚部を必須の構成とする。
３．図３は，第一支持部材１の例である。第一支持部材１は，第一支持部材空洞部１１，第一支持部材支持部１２，第一支持部材脚部１３を有している。
４．別の例として，図９の第一支持部材１’は，４つの平面状部材からなる第一支持部材空洞部１１１’と２つの平面状部材から構成される第一支持部材空洞部１１２’，第一支持部材支持部１２１’ないし１２２’，第一支持部材脚部１３’を有している。
【００１６】
５．第一支持部材空洞部は，第二支持部材ないし棒状部材を収納する役割を有する。第一支持部材空洞部は，この役割を果たす限り特に限定する必要は無く，種々の形状とすることができ，例えば，図３の１１に示すような，円柱様の形状，もしくは，図９に示すように，四角柱様の形状とすればよい。また，図９のように，二つの空洞（第一支持部材空洞部１１１’，第一支持部材空洞部１１２’）から構成されてもよい。
６．第一支持部材支持部は，棒状部材の一端を支持するための役割を有する。第一支持部材支持部は，この役割を果たす限り特に限定する必要は無く，種々の形状ないし構成とすることができる。第一支持部材支持部は，例えば，図３ないし図５に示すように，円状の穴が開いた形状とすることができるし，図６のように，第一支持部材の端に，棒状部材がはまり込むような構成とすることもできる。また，図９のように，複数の第一支持部材支持部を有してもよい。
７．第一支持部材脚部は，第一支持部材が直立するための脚としての役割を有する。第一支持部材脚部は，この役割を果たす限り特に限定する必要は無く，種々の形状ないし構成とすることができる。第一支持部材脚部は，例えば，図２ないし図３に示すような三本，図９に示すような四本，もしくはこれら以上の脚を有する構成とすることができるし，これらの脚を開閉式としてもよく，また，図７のような円状部材を用いて脚部とすることもできる。
８．加えて，第一支持部材の脚部に，傘をかけるなどして傘立てとして利用したり，スーツやコートをかけるなどしてハンガーとして利用することもできる。第一支持部材脚部が図２ないし３のような構成の場合，その脚部分にくぼみ（不図示）を設けるなどすればよいし，図７のような円状部材の場合は，穴ないしくぼみ（不図示）を備えるなどすればよい。
【００１７】
＜ＩＩＩ．第二支持部材＞
１．第二支持部材は，第一支持部材を収納ないし勘合等により一体となるとともに，直立した状態で棒状部材を支持する役割を果たす。さらに第一支持部材と共に，もしくは第一支持部材が棒状部材を収納しないときは第二支持部材単独で，棒状部材を収納する役割を果たす。第二支持部材は，これらの役割を果たす限り特に限定する必要は無く，種々の形状ないし構成とすることができ，基本的には第一支持部材と同様の構成とすればよい。
２．第二支持部材は，これらの役割を果たすため，第二支持部材空洞部，第二支持部材支持部，第二支持部材脚部を必須の構成とする。
３．図４は，第二支持部材２の例である。第二支持部材２は，第二支持部材空洞部２１，第二支持部材支持部２２，第二支持部材脚部２３を有している。
４．別の例として，図９の第二支持部材２’は，４つの平面状部材からなる第二支持部材空洞部２１１’と２つの平面状部材から構成される第二支持部材空洞部２１２’，第二支持部材支持部２２１’ないし２２２’，第二支持部材脚部２３’を有している。
【００１８】
５．第二支持部材空洞部は，第一支持部材ないし棒状部材を収納する役割を有する。第二支持部材空洞部は，この役割を果たす限り特に限定する必要は無く，種々の形状とすることができ，例えば，図４の２１に示すような，円柱様の形状，もしくは，図９に示すように，四角柱様の形状とすればよい。また，図９のように，二つの空洞（第二支持部材空洞部２１１’，第二支持部材空洞部２１２’）から構成されてもよい。
６．第二支持部材支持部は，棒状部材の一端を支持するための役割を有する。第二支持部材支持部は，この役割を果たす限り特に限定する必要は無く，種々の形状ないし構成とすることができる。第二支持部材支持部は，例えば，図２ないし図５に示すように，円状の穴が開いた形状とすることができるし，図６のように，第二支持部材の端に，棒状部材がはまり込むような構成とすることもできる。また，図９のように，複数の第二支持部材支持部を有してもよい。
７．第二支持部材脚部は，第二支持部材が直立するための脚としての役割を有する。第二支持部材脚部は，この役割を果たす限り特に限定する必要は無く，種々の形状ないし構成とすることができる。第二支持部材脚部は，例えば，図２ないし図４に示すような三本，図９に示すような四本，もしくはそれ以上の脚を有する構成とすることができるし，これらの脚を開閉式としてもよく，また，図７のような円状部材を用いて脚部とすることもできる。
８．加えて，第二支持部材の脚部に，傘をかけるなどして傘立てとして利用したり，スーツやコートをかけるなどしてハンガーとして利用することもできる。第二支持部材脚部が図２ないし４のような構成の場合，その脚部分にくぼみ（不図示）を設けるなどすればよいし，図７のような円状部材の場合は，穴ないしくぼみ（不図示）を備えるなどすればよい。
【００１９】
＜ＩＶ．棒状部材＞
１．棒状部材は，第一支持部材ないし第二支持部材に収納されるとともに，第一支持部材および第二支持部材それぞれの支持部に支持されることにより，衣服等がかけられる役割を有する。棒状部材は，この役割を果たす限り特に限定する必要は無く，種々の形状ないし構成とすることができる。例えば，図５に示すように，円柱様であってもよいし，三角柱様や四角柱様などの多角柱様の形状であってもよい。
２．図５は，棒状部材３の例である。また，図７に示すように，棒状部材を伸縮性棒状部材としてもよい。これにより，より多くの衣服等をかけることが可能となり，ハンガーラックとしての利便性を向上させる効果を有する。
【符号の説明】
【００２０】
１…第一支持部材
１１…第一支持部材空洞部，１２…第一支持部材支持部，１３…第一支持部材脚部
２…第二支持部材
２１…第二支持部材空洞部，２２…第二支持部材支持部，２３…第二支持部材脚部
３…棒状部材
【図１】
2014204947.tif 000003
【図２】
2014204947.tif 000004
【図３】
2014204947.tif 000005
【図４】
2014204947.tif 000006
【図５】
2014204947.tif 000007
【図６】
2014204947.tif 000008
【図７】
2014204947.tif 000009
【図８】
2014204947.tif 000010
【図９】
2014204947.tif 000011